(57)【要約】【課題】回線制御装置のシステムダウンに対して基地局および通信卓で対応することができる通信システムを提供する。【解決手段】複数の基地局装置（２１〜３０）と、基地局装置に接続される通信卓（１１〜１３）と、移動局無線機（Ｍ１〜Ｍ４）と、通信卓及び基地局装置のそれぞれに第２の通信回線（ｎ２）を介して接続される回線制御装置（１０）とを備え、基地局装置は、回線制御装置の異常を検知する異常検知手段と、回線制御装置の異常時に通信卓及び移動局無線機の位置登録を行う位置登録手段と、移動局無線機（Ｍ１〜Ｍ４）から発信要求がなされたとき、他の基地局装置に発信要求を送信する発信要求送信手段と、他の基地局装置から送信された発信要求を受信すると、位置登録手段により位置登録された情報に基づき移動局無線機への発信要求を制御する発信要求制御手段とを有する通信システム。【選択図】図１
2010245597.tif 000002
【特許請求の範囲】
【請求項１】
複数の基地局装置と、
前記基地局装置のそれぞれに第１の通信回線を介して接続される少なくとも一つの通信卓と、
前記基地局装置に無線回線を介して接続される移動局無線機と、
前記通信卓及び前記基地局装置のそれぞれに第２の通信回線を介して接続されると共に、前記通信卓及び移動局無線機の位置登録を行い、当該位置登録の情報に基づいて前記第２の通信回線の交換接続制御を行う回線制御装置とを備え、
前記基地局装置は、
前記回線制御装置の異常を検知する異常検知手段と、
前記回線制御装置の異常時に前記通信卓及び前記移動局無線機の位置登録を行う位置登録手段と、
前記回線制御装置の異常時に前記移動局無線機から発信要求がなされたとき、前記第１の通信回線及び前記通信卓を介して他の基地局装置に発信要求を送信する発信要求送信手段と、
前記他の基地局装置から送信された発信要求を受信したとき、前記位置登録手段によって位置登録された情報に基づいて前記移動局無線機への発信要求を制御する発信要求制御手段と、を具えることを特徴とする通信システム。
【発明の詳細な説明】
【技術分野】
【０００１】
この発明は、基地局無線装置、移動局無線機、通信卓、回線制御装置を伴う通信システムにおいて、回線制御装置の異常時に通信卓で回線制御を行う通信システムに関する。
【背景技術】
【０００２】
従来から、実用化されている通信システムとして、基地局無線装置、移動無線機、通信指令を行なう通信卓、通信回線の交換接続制御を行う回線制御装置から構成される通信システムが知られている。
特許文献１は、このような通信システムにおいて、通話保留中のタイムアウトにより通信リンクを開放することで、回線使用効率の向上を図る技術を開示している。
【先行技術文献】
【特許文献】
【０００３】
【特許文献１】特開２００４−１０４４５９号公報
【発明の概要】
【発明が解決しようとする課題】
【０００４】
しかし、特許文献１の技術においては、回線制御装置の動作に不具合が生じた場合について、何らの記載もないという問題がある。
本発明は、回線制御装置のシステムダウンに対して基地局および通信卓で対応することができる通信システムを提供することを目的とする。
【課題を解決するための手段】
【０００５】
課題を解決する一実施形態は、
複数の基地局装置（２１〜３０）と、
前記基地局装置のそれぞれに第１の通信回線（ｎ１）を介して接続される少なくとも一つの通信卓（１１，１２）と、
前記基地局装置（２１〜３０）に無線回線を介して接続される移動局無線機（Ｍ１〜Ｍ４）と、
前記通信卓及び前記基地局装置のそれぞれに第２の通信回線（ｎ２）を介して接続されると共に、前記通信卓及び移動局無線機の位置登録を行い、当該位置登録の情報に基づいて前記第２の通信回線の交換接続制御を行う回線制御装置（１０）とを備え、
前記基地局装置は、
前記回線制御装置の異常を検知する異常検知手段（Ｓ６３〜Ｓ６５）と、
前記回線制御装置の異常時に前記通信卓及び前記移動局無線機の位置登録を行う位置登録手段（Ｓ６６）と、
前記回線制御装置（１０）の異常時に前記移動局無線機（Ｍ１〜Ｍ４）から発信要求がなされたとき、前記第１の通信回線及び前記通信卓を介して他の基地局装置に発信要求を送信する発信要求送信手段（Ｓ９５）と、
前記他の基地局装置から送信された発信要求を受信したとき、前記位置登録手段によって位置登録された情報に基づいて前記移動局無線機への発信要求を制御する発信要求制御手段（Ｓ１７１）と、を具えることを特徴とする通信システムである。
【発明の効果】
【０００６】
回線制御装置がシステムダウンしても、基地局装置および通信卓で、移動局無線機の位置情報を登録しこれに基づいて基地局装置に発信要求を行うことで、通信機能を維持することができる。
【図面の簡単な説明】
【０００７】
【図１】本発明の一実施形態に係る通信システムの構成の一例を示すブロック図。
【図２】一般的な通信システムの構成の一例を示すブロック図。
【図３】一般的な通信システムにおいて異常が発生した場合を説明する説明図。
【図４】当該通信システムの正常時の移動無線機および通信卓の位置登録処理の一例を示すシーケンス図。
【図５】回線制御装置への通信に異常が発生した場合の処理の一例を示すシーケンス図。
【図６】回線制御装置のシステムダウン時の、移動無線機および通信卓の位置登録処理の一例を示すシーケンス図。
【図７】回線制御装置のシステムダウン時の、移動無線機および通信卓の位置登録処理の第１の例を示すシーケンス図。
【図８】回線制御装置のシステムダウン時の、移動無線機および通信卓の位置登録処理の第２の例を示すシーケンス図。
【図９】回線制御装置のシステムダウン時の、移動無線機および通信卓の位置登録処理の第３の例を示すシーケンス図。
【発明を実施するための形態】
【０００８】
以下、この発明の実施の形態について図面を参照して詳細に説明する。  
（構成）
初めに、本発明に係る通信システムの構成を図１を用いて、以下に説明する。
本発明に係る通信システム１は、図１に示すように、通信回線（後述する回線ｎ２）の交換接続制御を行うための回線制御装置１０と、回線制御装置１０がシステムダウン時に基地局無線装置間で相互通信可能となるようにするための通信卓１１，１２，１３を有している。通信卓１１，１２，１３は、固定局として使用する装置で、例えば司令室等に配置され、人員によって操作されるものである。尚、図示のシステムは、１つの周波数（ｃｈ）をスロットで区切って複数のユーザで使用するＴＤＭＡ方式の無線システムである。
【０００９】
さらに、通信システム１は、第１基地局無線装置２１乃至第５基地局無線装置２５および、第６基地局無線装置２６乃至第１０基地局無線装置３０、第１移動無線機Ｍ１乃至第４移動無線機Ｍ４を有している。
またさらに、各基地局無線装置２１乃至２５と第１通信卓１１の間を接続する回線ｎ１（第１の通信回線）、および各基地局無線装置２６乃至３０と第２通信卓１２の間を接続する回線ｎ１（第１の通信回線）を設ける。通信卓へ接続できる基地局数は、通信卓と基地局無線装置のインタフェ−スにより制限される。また、各基地局無線装置２１〜２５、各基地局無線装置２６〜３０と回線制御装置１０の間を接続する回線ｎ２（第２の通信回線）と、各通信卓同士あるいは各通信卓と回線制御装置１０の間を接続する回線ｎ２（第２の通信回線）を設ける。
【００１０】
図１の装置間接続系統について「第１基地局無線装置２１乃至第５基地局無線装置２５」の５基と「第１通信卓１１」の間を、また、「第６基地局無線装置２６乃至第１０基地局無線装置３０」の５基と「第２通信卓１２」の間をそれぞれ接続し、双方向通信を行なう。さらに、「第１通信卓１１」と「第３通信卓１３」の間を、「第２通信卓１２」と「第３通信卓１３」の間を、「第１通信卓１１」と「第２通信卓１２」の間を、また、「第１通信卓１１」、「第２通信卓１２」、「第３通信卓１３」と「回線制御装置１０」とをそれぞれ接続して、双方向通信を行う。
【００１１】
これにより、回線制御装置１０がシステムダウンした際に、「第１基地局無線装置２１」は、他の第２基地局無線装置２２乃至第１０基地局無線装置３０と、第１通信卓１１乃至第３通信卓１３と通信が可能となる。
「第１基地局無線装置２１」が「第１移動無線機Ｍ１」の、「第５基地局無線装置２５」が「第２移動無線機Ｍ２」の、「第６基地局無線装置２６」が「第３移動無線機Ｍ３」の「第１０基地局無線装置３０」が「第４移動無線機Ｍ４」の通信状態（通話中であるか、そうでないか）の管理を行う。また、「第１通信卓１１」が「第１基地局無線装置２１乃至第５基地局無線装置２５」間の、「第２通信卓１２」が「第６基地局無線装置２６乃至第１０基地局無線装置３０」間の、「第３通信卓１３」が「第１通信卓１１と第２通信卓１２」間のデ−タを橋渡しする。
【００１２】
これにより、回線制御装置１０がシステムダウンした際でも、通信システム１は、回線制御装置１０が正常動作を行っている時と同じ通話を行うことができる。
（不具合の説明）
つぎに、本発明に係る通信システム１が解決しようとする不具合について、一般的な通信システムの構成を用いて説明する。図２は一般的な通信システムの構成の一例を示すブロック図、図３はこの一般的な通信システムにおいて異常が発生した場合を説明する説明図である。
【００１３】
図２に示す一般的な通信システム２は、通信卓１１１と、基地局無線装置（Ａ）１２１乃至基地局無線装置（Ｅ）１２５と、回線制御装置１１０と、移動無線機ＭＡ、移動無線機ＭＢ、移動無線機ＭＣ、移動無線機ＭＤ、移動無線機ＭＥ、移動無線機ＭＦを有している。
【００１４】
このような通信システム２において、図２に示すように、移動無線機ＭＡ，ＭＣ，ＭＥがグル−プＡ、移動無線機ＭＢ，ＭＤ，ＭＦがグル−プＢに設定されている。このような設定において、移動無線機ＭＡから発信した場合、移動無線機ＭＡは、自己のエリアをカバ−する基地局無線装置（Ａ）１２１を経由して回線制御装置１０に対して発信要求を通知し、回線制御装置１０は、基地局無線装置（Ａ）１２１を経由して移動無線機ＭＢ，ＭＣへ、基地局無線装置（Ｅ）１２５を経由して移動無線機ＭＤ，ＭＥ，ＭＦへそれぞれ発信要求を通知する。
【００１５】
発信要求は、移動無線機ＭＡが設定されているグル−プＡで発信するため、着信対象の移動無線機は、グル−プＡに登録されている移動無線機ＭＣ，ＭＥであり、その他の移動無線機ＭＢ，ＭＤ，ＭＦには着信しない。
これは、回線制御装置１０が、それぞれの移動無線機がどのグル−プに設定されているかを管理しており、各移動無線機に対して発信要求を送信するときに対象グル−プ情報を付加し、移動無線機が対象グル−プ情報を確認し着信の判断をするためである。このように回線制御装置１０は、各移動無線機のグル−プ情報を管理し、移動無線機間の通信を形成する重要な役割を担っている。
【００１６】
そのため、回線制御装置１０に障害が発生、または、基地局無線装置と回線制御装置１０の間の回線が切断して、基地局無線装置（Ａ）１２１〜基地局無線装置（Ｅ）１２５と回線制御装置１０間の通信ができなくなると、図３に示すように基地局無線装置（Ａ）１２１〜基地局無線装置（Ｅ）１２５と回線制御装置１０の間の通信が不可能となる。
【００１７】
基地局無線装置（Ａ）１２１〜基地局無線装置（Ｅ）１２５と回線制御装置１０間の通信が不可能となると、移動無線機ＭＡ〜移動無線機ＭＦからの発信要求は、回線制御装置１０に通知することができなくなる。そのため、基地局無線装置（Ａ）１２１〜基地局無線装置（Ｅ）１２５は、回線制御装置１０に障害が発生、または回線断発生を認識すると、基地局無線装置（Ａ）１２１は、移動無線機ＭＡ、移動無線機ＭＢ、移動無線機ＭＣに対して回線制御装置１０のシステムダウン情報を通知し、固定周波数の電波Ａを発信する。
【００１８】
移動無線機ＭＡ〜移動無線機ＭＣは、基地局無線装置（Ａ）１２１からの回線制御装置１０のシステムダウン情報を受信後、基地局無線装置（Ａ）１２１からの電波Ａに対し発着信処理を行い、移動無線機ＭＡ〜ＭＣは、それぞれ通信中となり、基地局無線装置（Ａ）１２１と移動無線機ＭＡ〜移動無線機ＭＣは、基地局無線装置（Ａ）１２１のチャネルを占有した通信を確立する。
【００１９】
しかし、基地局無線装置は、移動無線機が設定されているグル−プに関係なく固定周波数を全移動無線機に対して発信するため、グル−プＡに設定されている移動無線機ＭＡ，ＭＣと、グル−プＢに設定されている移動無線機ＭＢが異なるグル−プであるにもかかわらず同じ周波数を使用し通信を行うこととなる。その結果、移動無線機ＭＡと移動無線機ＭＣ間の通話を移動無線機ＭＢが受信して音声を聞くことが可能となってしまう。
【００２０】
（動作）
次に、図１に示される通信システム１は、図２および図３の一般的な通信システム２で発生する不具合を解消するために、以下のような通信卓および基地局無線装置における複数の処理を行うものである。以下、それぞれの処理を図面を用いて詳細に説明する。
・移動無線機の位置登録情報管理方法（図４）
・通信卓−基地局無線装置間の接続情報管理方法（図５）
・回線制御装置システムダウン認識方法（図６）
・回線制御装置システムダウン時の移動無線機位置登録方法（図７）
・回線制御装置システムダウン時の通話接続方法（図８）
・回線制御装置システムダウン時の通話時におけるプレス管理（図９）
（移動無線機の位置登録情報管理方法）
図４は、回線制御装置正常運用時の移動無線機及び通信卓の位置登録処理のためのシーケンスの一例を示す。
【００２１】
このシーケンスでは、移動無線機及び通信卓の位置登録を説明する。回線制御装置正常運用時の移動無線機及び通信卓の通話シーケンスは、省略する。
（１）移動無線機の位置登録シーケンス
図中の第１シーケンスＳ１について、第１移動無線機Ｍ１は、電源投入後（ステップＳ１１）、第１基地局無線装置２１に対し位置登録要求を通知する（ステップＳ１２）。第１基地局無線装置２１は、第１移動無線機Ｍ１からの位置登録要求を回線制御装置１０へ通知する（ステップＳ１３）。回線制御装置１０は、第１移動無線機Ｍ１からの位置登録要求の内容に基づいて、回線制御装置１０の内部で管理している第１移動無線機Ｍ１の位置情報（どの基地局装置のエリア内に存在するか等の情報）を更新し保存して（ステップＳ１４）、第１基地局無線装置２１へ位置登録応答を通知する（ステップＳ１５）。第１基地局無線装置２１は回線制御装置１０からの位置登録応答の内容に基づいて、第１基地局無線装置２１内部で管理している第１移動無線機Ｍ１の位置情報を更新して保存し（ステップＳ１６）、第１移動無線機Ｍ１へ位置登録応答を送信する（ステップＳ１７）。第１移動無線機Ｍ１は、位置登録応答を受信し位置登録が完了する（ステップＳ１８）。また、第１移動無線機Ｍ１以外の第２移動無線機Ｍ２乃至第１０移動無線機Ｍ１０についても、第１移動無線機Ｍ１と同様の上述した動作を示すものである。
【００２２】
（２）通信卓の位置登録シーケンス
図中の第２シーケンスＳ２について、第１通信卓１１は、電源投入後（ステップＳ２０）、第１通信卓１１に接続されている装置（第１基地局無線装置２１乃至第５基地局無線装置２５および第３通信卓１３）のそれぞれに対して、起動通知を通知する（ステップＳ２１）。第１基地局無線装置２１乃至第５基地局無線装置２５および第３通信卓は、第１通信卓１１からの起動通知の内容に基づいて第１基地局無線装置２１乃至第５基地局無線装置２５内部に接続装置情報を保存し（ステップＳ２２）、第１通信卓１１へ起動通知応答を通知する（ステップＳ２３）。相互に接続されている基地局無線装置と通信卓、および通信卓同士は、上述したように起動通知と起動通知応答をやり取りすることで、互いの接続関係を認識することができる。
【００２３】
第１通信卓１１は、内部に接続装置情報を保存し（ステップＳ２４）、基地局装置は経由せずに専用線を介して回線制御装置１０へ位置登録要求を通知する（ステップＳ２５）。回線制御装置１０は、第１通信卓１１からの位置登録要求の内容に基づいて回線制御装置１０の内部で管理している第１通信卓の位置情報を更新して保存し（ステップＳ２６）、第１通信卓へ位置登録応答を通知する（ステップＳ２７）。第１通信卓１１は、位置登録応答を受信して、位置登録が完了する（ステップＳ２８）。
【００２４】
以上（１）移動無線機の位置登録シーケンスおよび（２）通信卓の位置登録シーケンスの制御を行うことで、基地局無線装置は、移動無線機の位置登録情報を保持することが可能となり、また回線制御装置システムダウン時に通信卓がどの基地局無線装置に対してデ−タを送信すればよいのかという情報を保持することが可能となる。また、通信卓は相互に接続されている他の通信卓を認識することができる。
【００２５】
（通信卓−基地局無線装置間の接続情報管理方法）
図５は、回線制御装置正常運用中に回線制御装置と基地局無線装置、通信卓の通信に以上が発生した場合の異常発生検知のシーケンスを示す。
図中の第３シーケンスＳ３について、第１基地局無線装置２１は、回線制御装置１０に対して定期的にヘルスチェック要求を通知する（ステップＳ４１）。回線制御装置１０は、第１基地局無線装置２１からのヘルスチェック要求を受信したら、ヘルスチェック応答を第1基地局無線装置２１へ通知する（ステップＳ４２）。回線制御装置１０がシステムダウンし第１基地局無線装置２１からのヘルスチェック要求が通知できない場合、第１基地局無線装置２１はｎ回リトライした後（ステップＳ４５、Ｓ４６）、回線制御装置システムダウンを感知する（ステップＳ４７）。
【００２６】
図中の第４シーケンスＳ４について、第１通信卓１１は、回線制御装置１０に対して定期的にヘルスチェック要求を通知する（ステップＳ４３）。回線制御装置１０は、第１通信卓１１からのヘルスチェック要求を受信したら、ヘルスチェック応答を第１通信卓へ通知する（ステップＳ４４）。回線制御装置１０がシステムダウンし第１通信卓１１からのヘルスチェック要求が通知できない場合（ステップＳ４８、Ｓ４９）、第１通信卓１１はｎ回リトライした後、回線制御装置システムダウンを感知する（ステップＳ５０）。
【００２７】
（回線制御装置システムダウン認識方法）（図６）
図６に回線制御装置システムダウン時の移動無線機及び通信卓の位置登録シーケンスを示す。回線制御装置システムダウン時の移動無線機及び通信卓の位置登録をシーケンスごとに説明する。
【００２８】
（１）移動無線機の位置登録シーケンス
図中の第５シーケンスＳ５について、第１移動無線機Ｍ１は、電源投入後（ステップＳ６１）、第１基地局無線装置２１に対し位置登録要求を通知する（ステップＳ６２）。第１基地局無線装置２１は、第１移動無線機Ｍ１からの位置登録要求を回線制御装置１０へ通知する（ステップＳ６３）。しかし、回線制御装置１０はシステムダウンのため、第１基地局無線装置２１からの位置登録要求を受信することができない。その結果、第１基地局無線装置２１は、回線制御装置１０からの位置登録応答が受信できない。第１基地局無線装置２１は、回線制御装置１０から位置登録応答を受信しない場合、回線制御装置１０に位置登録要求をｎ回リトライし（ステップＳ６４）、回線制御装置１０のシステムダウンを感知したら（ステップＳ６５）、第１移動無線機Ｍ１からの位置登録要求の内容に基づいて、第１基地局無線装置２１の内部で管理している第１移動局無線機２１の位置情報を更新して保存する（ステップＳ６６）。その後、第１基地局無線装置２１は、第１移動無線機Ｍ１へ位置登録応答を通知する（ステップＳ６７）。第１移動無線機Ｍ１は、位置登録応答を受信し位置登録が完了する（ステップＳ６８）。尚、移動無線機からの位置登録要求には、当該移動無線機のグループ情報が含まれる。従って、基地局無線装置は、位置登録した移動無線機のグループ情報を管理することができる。
【００２９】
なお、図５に示すシーケンスで予め回線制御装置１０の異常を検知している場合は、基地局無線装置からの位置登録要求は省略しても良い。
（２）通信卓の位置登録シーケンス
図中の第６シーケンスについて、第１通信卓１１は、電源投入後（ステップＳ７１）、第１通信卓１１に接続されている装置（第１基地局無線装置２１乃至第５基地局無線装置２５、第３通信卓１３）に対し起動通知を通知する（ステップＳ７３）。第１基地局無線装置２１乃至第５基地局無線装置２５は、第１通信卓１１からの起動通知の内容に基づいて各基地局無線装置の内部に接続装置情報を保存し（ステップＳ７４）、第１通信卓１１へ起動通知応答を通知する（ステップＳ７５）。第１通信卓１１は接続通知応答の内容に基づいて、第１通信卓１１に接続装置情報を保存し（ステップＳ７６）、回線制御装置１０へ位置登録要求を通知する（ステップＳ７７）。しかし、回線制御装置はシステムダウンのため（ステップＳ７８）、第１通信卓からの位置登録要求を受信することができない。その結果、第１通信卓１１は、回線制御装置１０からの位置登録応答が受信できない。第１通信卓１１は、回線制御装置１０から位置登録応答を受信しない場合、回線制御装置１０に位置登録要求をｎ回リトライし（ステップＳ７９）、回線制御装置システムダウンを感知する（ステップＳ８０）。その後、第１通信卓１１は、位置登録処理を終了する（ステップＳ８１）。
【００３０】
なお、運用途中での回線制御装置１０の異常は、図４のシーケンスで検知する。以上、（１）〜（２）の制御を行うことで、回線システム制御装置システムダウン時においても、基地局無線装置は、移動無線機の位置登録情報を保持することが可能となる。
【００３１】
次に、図７乃至図９に回線制御装置システムダウンした場合の通話シーケンスを示す。なお、端末（移動無線機及び通信卓）が通話可能となった状態を通話中、送信権を獲得した状態を送信中、他の端末が送信権を獲得し、音声を受信する状態を受信中と明記する。
【００３２】
（回線制御装置システムダウン時の移動無線機位置登録方法）（図７）
（１）発信シーケンス
図７において、第１移動無線機Ｍ１は、発信処理において（ステップＳ９２）、第１基地局無線装置２１へ発信要求を通知する（ステップＳ９３）。第１基地局無線装置２１は、第１基地局無線装置２１と回線制御装置１０間が回線異常の場合（ステップＳ９１）、第１移動無線機Ｍ１の通話状態を更新する（ステップＳ９４）。第１基地局無線装置２１は、発信要求を第１通信卓を経由して（ステップＳ９５）、第２基地局無線装置２２乃至第５基地局無線装置２５、第１通信卓１１から第３通信卓１３、第２通信卓１２を経由して、第６基地局無線装置２６乃至第１０基地局無線装置３０へ通知する（ステップＳ９６〜Ｓ９９）。なお、上述した発信要求には、基地局無線装置で管理している発信元移動無線機のグループ情報が含まれる。
【００３３】
第５基地局無線装置２５は、位置登録している第２移動無線機Ｍ２があるため、この位置登録の情報に基づいて、第２移動無線機Ｍ２に対して発信要求を通知する（ステップＳ１００）。第２移動無線機Ｍ２は着信対象グル−プであるかを確認し（ステップＳ１０１）、着信対象の場合は、通話中となり発信応答（着信ＯＫ）を（ステップＳ１０２）、着信対象でない場合は、発信応答（着信ＮＧ）を第５基地局無線装置２５へ通知する（ステップＳ１０３）。第５基地局無線装置２５は、第２移動無線機Ｍ２の通話状態を更新し（ステップＳ１０４）、発信応答を第１通信卓１１へ通知する（ステップＳ１２９）。第２基地局無線装置２２乃至第４基地局無線装置２４は、発信応答を第１通信卓１１へ通知する（ステップＳ１３０〜Ｓ１３２）。これを受けて、第１通信卓１１は、各第１基地局無線装置２１乃至第１０基地局無線装置３０からの発信応答を第１基地局無線装置２１へ通知する（ステップＳ１３３）。第１基地局無線装置２１は、発信応答を第１移動無線機Ｍ１へ通知し（ステップＳ１３４）、第１移動無線機Ｍ１は発信応答を受信して通話中であることを表示する（ステップＳ１３５）。同様に、第１通信卓１１も、これらの発信応答を受けて、着信対象グル−プであるかを確認して（ステップＳ１３８）、着信対象の場合は、通話中であることを表示する（ステップＳ１３９）。
【００３４】
また、第３移動無線機Ｍ３に関する同等の処理が、ステップＳ１０７乃至ステップＳ１１５として記載されている。同様に、第４移動無線機Ｍ４に関する同等の処理が、ステップＳ１１６乃至ステップＳ１２２およびステップＳ１４１およびステップＳ１４４として記載されている。
【００３５】
（回線制御装置システムダウン時の通話接続方法）（図８）
（２）プレスＯＮ制御シーケンス
図８について、第１移動無線機Ｍ１は、通話中において（ステップＳ１５２）、第１基地局無線装置２１へＰＴＴ−ＯＮを通知する（ステップＳ１５３，Ｓ１５４）。第１基地局無線装置２１は、第１基地局無線装置２１と回線制御装置１０間が回線異常の場合、ＰＴＴ−ＯＮを第１通信卓１１へ通知する（ステップＳ１５５）。第１通信卓１１は、通話中を表示している状態で（ステップＳ１５９）、現在ＰＴＴ−ＯＮ中である端末（移動無線機及び通信卓）があるかを内部に保存している情報から判断し（ステップＳ１６２）、ＰＴＴ−ＯＮ中である端末がない場合、ＰＴＴ−ＯＮ情報を第２基地局無線装置２２乃至第５基地局無線装置、第３通信卓１３、第２通信卓１２を経由して第６基地局無線装置乃至第１０基地局無線装置へ通知する（ステップＳ１６５〜Ｓ１７９）。
【００３６】
第５基地局無線装置２５は、位置登録している第２移動無線機Ｍ２があるため、第２移動無線機Ｍ２に対して、ＰＴＴ−ＯＮを通知する（ステップＳ１７１）。第２移動無線機Ｍ２は、受信中となり（ステップＳ１７２）、第５基地局無線装置２５へＰＴＴ−ＯＮ応答を通知する（ステップＳ１７３）。第５基地局無線装置２５は、第２移動無線機Ｍ２よりＰＴＴ−ＯＮ応答を受信すると、内部で管理している音声パスの切替を行い（ステップＳ１８５）、ＰＴＴ−ＯＮ応答を第２通信卓１２へ通知する（ステップＳ１９３）。ＰＴＴ−ＯＮ応答を受信した第１通信卓１１乃至第３通信卓１３は、それぞれ、音声バスを切り替えて（ステップＳ１９７、Ｓ１９９、Ｓ２１４）、内部にＰＴＴ−ＯＮ端末情報を第１移動無線機Ｍ１ＰＴＴ−ＯＮ中と更新し（ステップＳ１９８、Ｓ２００，Ｓ２１５）、通信卓の通話状態を受信中とした後（ステップＳ２１２，Ｓ２１３，Ｓ２１６）、第１基地局無線装置２１へＰＴＴ−ＯＮ応答を通知する（ステップＳ２０８）。
【００３７】
第１基地局無線装置２１は、第１移動無線機Ｍ１へＰＴＴ−ＯＮ応答を通知して（ステップＳ２０２）、ハードウェアを切り替え（ステップＳ２０３）、また、第１移動無線機Ｍ１は、ＰＴＴ−ＯＮ応答を受信し送信中となる（ステップＳ２０４）。
第１移動無線機Ｍ１は、ＰＴＴ−ＯＮ中に他の第２移動無線機Ｍ２がＰＴＴ−ＯＮした場合は（ステップＳ２３１）、図９の第７シーケンスに示すように、第２移動無線機Ｍ２は、ＰＴＴ−ＯＮを第５基地局無線装置２５を経由し（ステップＳ２３２、Ｓ２３３）、第１通信卓１１へＰＴＴ−ＯＮを通知する。第１通信卓１１は、現在ＰＴＴ−ＯＮ中である端末（移動無線機及び通信卓）があるかを内部に保存している情報から判断し（ステップＳ２３４）、現在第１移動無線機Ｍ１がＰＴＴ−ＯＮ中であるため、ＰＴＴ−ＯＮ応答を「ＰＴＴ−ＯＮ禁止」として第５基地局無線装置２５を経由し第２移動無線機Ｍ２へ通知する（ステップＳ２３５，Ｓ２３６）。ＰＴＴ−ＯＮ応答「ＰＴＴ−ＯＮ禁止」を受信した第２移動無線機Ｍ２は、送信権獲得に失敗する（ステップＳ２３７）。
【００３８】
（回線制御装置システムダウン時の通話時におけるプレス管理）（図９）
（３）プレスＯＦＦ制御シーケンス
図９の第８シーケンスについて、第１移動無線機Ｍ１は、第１基地局無線装置２１へＰＴＴ−ＯＦＦを通知する（ステップＳ２４１）。第１地局無線装置は、第１基地局無線装置２１と回線制御装置１０間が回線異常の場合（ステップＳ２２０）、ＰＴＴ−ＯＦＦを（ステップＳ２４１）、第１通信卓１１を経由して第２基地局無線装置２２〜第５基地局無線装置２５、第１通信卓１１から第３通信卓１３、第２通信卓１２を経由して第６基地局無線装置〜第１０基地局無線装置へ通知する（ステップＳ２４２〜Ｓ２４９）。
【００３９】
第５基地局無線装置２５は、位置登録している第２移動無線機Ｍ２があるため、第２移動無線機Ｍ２に対して、ＰＴＴ−ＯＦＦを通知する（ステップＳ２５０）。第２移動無線機Ｍ２は、通話中となり（ステップＳ２５１）、第５基地局無線装置２５へＰＴＴ−ＯＮ応答を通知する（ステップＳ２５２）。第５基地局無線装置２５は、第２移動無線機Ｍ２よりＰＴＴ−ＯＮ応答を受信すると、内部で管理している音声パスの解除を行い（ステップＳ２６１）、ＰＴＴ−ＯＮ応答を第１通信卓１１へ通知する（ステップＳ２７０）。ＰＴＴ−ＯＮ応答を受信した各第１通信卓１１〜第３通信卓１３は、受信状態において（ステップＳ２２５、Ｓ２２６，Ｓ２２７）、音声バスをそれぞれ切り替えた後に（ステップＳ２７４，Ｓ２７７，Ｓ２８４）、内部にＰＴＴ−ＯＮ端末情報を「ＰＰＴ−ＯＮ端末なし」と更新し（ステップＳ２７５、Ｓ２７８，Ｓ２８５）、通信卓の通話状態を通話中とし（ステップＳ２７６，Ｓ２７９，Ｓ２８６）、また、第１基地局無線装置２１へＰＴＴ−ＯＮ応答を通知する（ステップＳ２８０）。
【００４０】
第１基地局無線装置２１は、第１移動無線機Ｍ１へＰＴＴ−ＯＮ応答を通知し（ステップＳ２８１）、ハードウェアの接続を解除し（ステップＳ２８２）、第１移動無線機Ｍ１はＰＴＴ−ＯＮ応答を受信して、通話中となる（ステップＳ２８３）。
以上、詳細に述べたように、本発明の一実施形態である通信システムにおいては、（１）発信シーケンス、（２）プレスＯＮ制御シーケンス、（３）プレスＯＦＦ制御シーケンスの制御を行うことで、回線制御装置システムダウン時においても通信制御が可能となる。
【００４１】
すなわち、図２および図３に述べた一般的な通信システム２においては、通信制御を行っている回線制御装置に異常が発生した場合、通信制御が行えなくなり、基地局無線制御装置での固定チャネル通信となってしまう。この時、端末はグル−プ通信等が行えなくなり、ユ−ザに大きな影響を与える。
【００４２】
しかし、上述した本発明の一実施形態に係る通信システム１によれば、回線制御装置が異常となった場合においても、基地局無線装置および通信卓が連携して、回線制御装置と同等の処理を行うことが可能となるため、ユ−ザヘの影響を軽減させることが期待できる。
【００４３】
以上記載した様々な実施形態は複数同時に実施することが可能であり、これらの記載により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【符号の説明】
【００４４】
１…無線通信システム、１０…回線制御装置、１１…第１通信卓、１２…第２通信卓、１３…第３通信卓、２１〜３０…第１基地局無線装置、Ｍ１…移動無線機、Ｍ２…移動無線機、Ｍ３…移動無線機。
【図１】
2010245597.tif 000003
【図２】
2010245597.tif 000004
【図３】
2010245597.tif 000005
【図４】
2010245597.tif 000006
【図５】
2010245597.tif 000007
【図６】
2010245597.tif 000008
【図７】
2010245597.tif 000009
【図８】
2010245597.tif 000010
【図９】
2010245597.tif 000011